(57)【要約】  【課題】  連続的に多数のカードを発行するのに適したカード発行方法等を提供する。  【解決手段】  カードの発行装置１０は、カード本体３の記録媒体に情報を書き込む手段３０と、透明フィルム５の接着剤層側の面に目視可能な個別情報を印刷し、印刷された面又はカード本体に接着剤層７を塗布する印刷・塗布手段５０と、透明フィルム５をカード本体３に貼り付ける手段９０と、を備える。印刷・塗布手段５０では、印刷面を形成するための各色インク、及び、接着剤層を形成するための接着剤が基体上に順に配列されたリボンを用いて印刷・塗布を行う。【選択図】  図１
2005169644.tif 000002
【特許請求の範囲】
【請求項１】
カード使用者に関する個別情報を記憶する記録媒体を有するカード本体と、
該カード本体の面に接する接着剤層と、
該接着剤層を介して前記カード本体の面に接着された、前記カード使用者に関する目視可能な個別情報を表示する印刷面を有する透明フィルムと、
を具備するカードの発行方法であって、
前記透明フィルムの印刷面を、該フィルムの前記接着剤層側の面に形成し、
前記カード本体の記録媒体への情報書き込み、前記透明フィルムへの印刷及び前記接着剤層の塗布、該透明フィルムの前記カード本体への貼り付け、を一連の動作で行い、
前記透明フィルムへの印刷及び前記接着剤層の塗布を、前記印刷面を形成するための各色インク、及び、前記接着剤層を形成するための接着剤が基体上に順に配列されたリボンを使用して行うことを特徴とするカード発行方法。
【請求項２】
前記透明フィルムが前記カード本体と同じサイズに裁断されたものであり、
該透明フィルムを一枚ずつ搬送・印刷・接着剤層塗布・貼り付けを行うことを特徴とする請求項１記載のカード発行方法。
【請求項３】
使用済みの前記カードの前記接着剤層の接着力を低下させた後に前記透明フィルムを前記カード本体から剥がし、
該カード本体の記録媒体を初期化し、
新規の透明フィルムへの印刷及び前記接着剤層の塗布、前記カード本体への貼り付けを行って、前記カード本体を繰り返し使用することを特徴とする請求項１又は２記載のカード発行方法。
【請求項４】
カード使用者に関する個別情報を記憶する記録媒体を有するカード本体と、
該カード本体の面に接する接着剤層と、
該接着剤層を介して前記カード本体の面に接着された、前記カード使用者に関する目視可能な個別情報を表示する印刷面を有する透明フィルムと、
を具備するカードの発行装置であって、
前記カード本体の記録媒体に情報を書き込む手段と、
前記透明フィルムの前記接着剤層側の面に前記目視可能な個別情報を印刷し、該印刷された面に前記接着剤層を塗布する印刷・塗布手段と、
該フィルムを前記カード本体に貼り付ける手段と、
を備え、
前記印刷・塗布手段が、前記印刷面を形成するための各色インク、及び、前記接着剤層を形成するための接着剤が基体上に順に配列されたリボンを用いて印刷・塗布を行うことを特徴とするカード発行装置。
【請求項５】
使用済みの前記カード本体から前記透明フィルムを剥がすための、前記接着剤層の接着力を低下させる手段をさらに備えることを特徴とする請求項４記載のカード発行装置。
【請求項６】
透明フィルムへの印刷及び接着剤層の塗布を行うインクリボンであって、各色インク、及び、接着剤が、基体上に順に配列されていることを特徴とするインクリボン。
【発明の詳細な説明】
【技術分野】
【０００１】
本発明は、学生証や社員証、会員証などの身分証明用等のカードを発行する方法及び装置に関する。特には、連続的に多数のカードを発行するのに適したカードの発行方法に関する。また、卒業したり脱会して不要になった後で再使用できるカードの発行方法等に関する。
【背景技術】
【０００２】
学生証や会員カードなど、身分証明用のＩＤカードには、カードの所有者に関する個別情報が記録されたＩＣカードが広く使用されている。このようなＩＣカードには、内蔵されている記録媒体に所有者の個人情報等が記録されているとともに、カードの一面には所有者の写真や住所、学生証の場合には学生番号、学部、学科等の目視可能な画像や文字情報が印刷されている。
【０００３】
このようなＩＤカードは、有効期限切れになったり、卒業や脱会して不要になった場合は廃棄されることが一般的である。これは、上述のように、ＩＣカードに個人情報が直接印刷されているため、その本人以外は使用できないためである。ところで、ＩＣカードの記録媒体を含めたカード本体は、記録媒体を初期化して新たな情報を書き込むことにより繰り返し使用可能である。しかし、カード本体に特定の個人の情報が直接印刷されてしまっているため、廃棄せざるを得なくなってしまう。
【０００４】
また、ＩＣカードの製造時に、ＩＣカードへの印刷過程で印字ミスや印字不良が生じた場合も同様の理由で廃棄される。
【０００５】
ところが、ＩＣカードは１枚の価格が２０００円以上と高価なため、上述のように不要になった場合や、印刷ミスが生じた場合に廃棄することは、費用的な負担が重い。特に印刷ミスの場合は、印刷会社がそのミスに関わる費用を補償する責任を負うことになるため、印刷会社にとっては膨大な損失となる。
【０００６】
一方、ＩＣカードの材料としては、従来より塩ビが使用されてきたが、最近ＰＥＴやＡＢＳ等の材料に変わりつつある。このような材料は、昇華染料型熱転写インクや溶融型熱転写インクを使用するカードプリンタでは、インクとの相性が悪いため、写真や文字を直接印刷することが困難である。このため、写真や文字が印刷されたシールを予め準備し、このシールをＩＣカードの一面に貼り付ける方法がとられることがある。この方法では、不要になったカードからシールを剥がすことによってカード本体を再使用できる。
【発明の開示】
【発明が解決しようとする課題】
【０００７】
ところが、この方法においては、以下の問題が発生する。
（１）ＩＣカードの記録媒体への情報書き込みと、シールへの印刷及び貼り付けとを別工程で行っている。特に、情報書き込みは書き込み装置を用いて行い、シールをＩＣカードに貼り付ける処理は人手で行っている。このように別工程とすると、記録媒体に書き込まれた情報と印刷された情報が同一人のものであるかを照合する必要が生じる。
（２）シールの接着剤（のり）の接着力が強いため、シールを剥がし難く、場合によってはＩＣカードを破損することがある。
（３）シールへの印刷は、接着剤が塗布されていない面に行われるのが一般的である。つまり、カードの表面側が印刷面となる。そのため、インクの剥離や擦り傷により美観が損なわれたり、読みずらくなったりすることがある。特に、毎日の出退時に、認証装置やカードリーダー等に通す社員証の場合、問題は深刻である。
【０００８】
本発明は上記の問題点に鑑みてなされたものであって、連続的に多数のカードを発行するのに適したカード発行方法等を提供することを目的とする。また、照合の手間のかからない、あるいは、再利用可能なＩＤカードの発行方法及び装置を提供することを目的とする。
【課題を解決するための手段】
【０００９】
本発明のカード発行方法等に係るカードは、  カード使用者に関する個別情報を記憶する記録媒体を有するカード本体と、  該カード本体の面に接する接着剤層と、  該接着剤層を介して前記カード本体の面に接着された、前記カード使用者に関する目視可能な個別情報を表示する印刷面を有する透明フィルムと、  を具備し、  前記透明フィルムの印刷面は、該フィルムの前記接着剤層側の面に形成されており、  前記接着剤層において前記透明フィルムを剥がし、その後新規の透明フィルムを貼り付けることにより、前記カード本体を繰り返し使用することが可能なものである。しかし、再使用可能なものに限定されるものではない。なお、ここでカード本体（世の中では通常“カード”と呼ばれるもの）の例としては、ＩＣカードや光カードを挙げることができる。
【００１０】
上記カードにおいては、  前記接着剤層が、所定温度への昇温時に接着力が低下する特性を有することとすれば、接着剤層において、透明フィルムをカード本体から簡単に剥がすことができ、カード本体を再利用できる。また、透明フィルムの印刷面を、フィルムの接着剤層側の面に形成することにより、インクの剥離や印刷面の擦り傷により、印刷された写真や文字が擦れたり薄くなることがない。
【００１１】
本発明のカード発行方法は、  カード使用者に関する個別情報を記憶する記録媒体を有するカード本体と、  該カード本体の面に接する接着剤層と、  該接着剤層を介して前記カード本体の面に接着された、前記カード使用者に関する目視可能な個別情報を表示する印刷面を有する透明フィルムと、  を具備するカードの発行方法であって、  前記透明フィルムの印刷面を、該フィルムの前記接着剤層側の面に形成し、  前記カード本体の記録媒体への情報書き込み、前記透明フィルムへの印刷及び前記接着剤層の塗布、該透明フィルムの前記カード本体への貼り付け、を一連の動作で行い、  前記透明フィルムへの印刷及び前記接着剤層の塗布を、前記印刷面を形成するための各色インク、及び、前記接着剤層を形成するための接着剤が基体上に順に配列されたリボンを使用して行うことを特徴とする。
【００１２】
ある個人のカードを発行する際に、透明フィルムへの印刷及び接着剤層の塗布、カード本体の記録媒体への情報書き込み、フィルムのカード本体への貼り付け、の一連の動作を、一人分ずつ行うこと（枚葉処理）により、記録媒体に書き込まれた情報と、フィルムへ印刷された情報を確実に合致させることができる。そのため、照合作業に払う手間・神経・ミス時の負担などが解消する。
【００１３】
さらに、透明フィルムへの印刷と接着剤層の塗布を、1つのリボンを用いて１回の作業で行うことにより、処理工程の数を減らすことができる。
また、  前記透明フィルムが前記カード本体と同じサイズに裁断されたものであり、  該透明フィルムを一枚ずつ搬送・印刷・接着剤層塗布・貼り付けを行うことが好ましい。
【００１４】
本発明においては、  使用済みの前記カードの前記接着剤層の接着力を低下させた後に前記透明フィルムを前記カード本体から剥がし、  該カード本体の記録媒体を初期化し、  新規の透明フィルムへの印刷及び前記接着剤層の塗布、前記カード本体への貼り付けを行って、前記カード本体を繰り返し使用することができる。
接着剤の接着力を低下させる方法としては、カードを所定温度に昇温する方法などを採用できる。このような接着剤としては、ホットメルト型のものなどを使用できる。昇温の温度としては、例えば１８０℃以下である。
【００１５】
本発明のカード発行装置は、  カード使用者に関する個別情報を記憶する記録媒体を有するカード本体と、  該カード本体の面に接する接着剤層と、  該接着剤層を介して前記カード本体の面に接着された、前記カード使用者に関する目視可能な個別情報を表示する印刷面を有する透明フィルムと、  を具備するカードの発行装置であって、  前記カード本体の記録媒体に情報を書き込む手段と、  前記透明フィルムの前記接着剤層側の面に前記目視可能な個別情報を印刷し、該印刷された面に前記接着剤層を塗布する印刷・塗布手段と、  該フィルムを前記カード本体に貼り付ける手段と、を備え、前記印刷・塗布手段が、前記印刷面を形成するための各色インク、及び、前記接着剤層を形成するための接着剤が基体上に順に配列されたリボンを用いて印刷・塗布を行うことを特徴とする。
【００１６】
本発明の他のカード発行装置は、  使用済みの前記カード本体から前記透明フィルムを剥すための、  前記接着剤層の接着力を低下させる手段をさらに備えることを特徴とする。
【００１７】
本発明のインクリボンは、  透明フィルムへの印刷及び接着剤層の塗布を行うインクリボンであって、各色インク、及び、接着剤が、基体上に順に配列されていることを特徴とする。
カード等の対象物に、画像や文字が印刷されたフィルムを貼り付ける際に、透明フィルム等の対象物へ印刷する再に、透明フィルムへの印刷と接着剤層の塗布を、1つのリボンを用いて１回の作業で行うことができる。このため、処理工程の数を減らすことができるインクリボンを提供できる。
【発明の効果】
【００１８】
本発明によれば、カードに印刷された情報と記録媒体に記録された情報を確実に合致させることができ、照合作業に払う手間などが解消される。また、印刷面がフィルム面の内側となるため、インクの剥離や、カードリーダーに通す際の摩擦などにより、印刷面が擦れることがない。さらには、処理工程数を比較的少なくすることができるため、装置の小型化と作業時間の短縮を図れる。
【発明を実施するための形態】
【００１９】
以下、本発明の実施の形態について、図面を参照しながら詳細に説明する。
まず、本発明のカード発行方法に係るカードの一例について説明する。
図１は、本発明のカード発行方法に係るカードの構成例を説明する図であり、図１（Ａ）は平面図、図１（Ｂ）は分解斜視図、図１（Ｃ）は側断面図、図１（Ｄ）は透明フィルムの裏面図である。
カード１は、図１（Ｂ）、（Ｃ）に示すように、カード本体３と、同カード本体３の一面に塗布された接着剤層７と、同接着剤層７を介してカード本体３に接着された透明フィルム５とからなる三層構造を有する。なお、接着剤層７は、透明フィルム５の面に塗布してもよい。
【００２０】
このカード１は、学生証や、会員証、社員証など、所有者の個人情報（住所、学生（会員、社員）番号、所属、生年月日など）が記録されて、個人の証明を行うＩＤカードとして使用される。さらに、例えば、生協や学生食堂、社員食堂などを利用したときの履歴や、電子マネーの蓄積、セキュリティーキーコードなどを更新、記録することもできる。
【００２１】
カード本体３は、一般的なＩＣカードを使用できる。このようなＩＣカードは、例えば、ＡＢＳやＰＥＴ等の樹脂で作製され、記録媒体としてＩＣチップを内蔵している。ＩＣチップ内のメモリに、所有者の住所、学生（会員、社員）番号、所属、生年月日などの個人情報が記録されている。また、他に、電子マネーの蓄積、セキュリティ−キーコードなどの情報が更新、記録される。カード本体３の裏面には、また、別の記録媒体として磁気テープＭＴが貼り付けられている。この磁気テープＭＴにも、生年月日、住所、学生（会員、社員）番号などの個人情報が記録されている。
【００２２】
透明フィルム５の接着剤層７の側の面（裏側の面）５ｂには、所有者の写真、住所、学生（会員、社員）番号、所属、生年月日などの、目視可能な画像や文字が印刷されている。つまり、透明フィルム５にこのような画像や文字を印刷する際は、図１（Ｄ）に示すように、これらの画像や文字を鏡像反転させた画像や文字を、透明フィルム５の裏側の面５ｂに印刷することになる。
【００２３】
透明フィルム５の印刷面５ｂは、カード本体３の一面に接着剤層７で貼り付けられている。この接着剤は、常温時では高い接着力を有するが、所定温度への昇温時に接着力が低下する特性を有する。つまり、常温環境下で、カード本体３の一面に透明フィルム５をシールのように貼り付けることができる。そして、所定温度に昇温すると、接着剤の接着力が低下して透明フィルム５をカード本体３から剥がすことができる。所定温度としては、ＩＣカード３のチップＩＣに悪影響を与えることがなく、また、日常生活においてほとんど存在しておらず、日常生活中に昇温により透明フィルム５がカード本体３から剥がれるようなこともないような温度が好ましい。このような接着剤としては、例えば、ホットメルト接着剤と呼ばれるものを使うことができる。
【００２４】
つまり、このカード１が不要になった場合には、所定温度に昇温することにより、透明フィルム５をカード本体３から簡単に剥離することができる。そして、カード本体３の記録媒体に記録されている情報を初期化して書き換えることにより、ある個人の使用後に不要になった場合にもカード本体３を再使用することができる。また、透明フィルム５の印刷面５ｂは接着剤層７に接しており、カード１の表面はフィルム面５ａとなっている。このため、カードリーダーや認証装置にカードを通しても、フィルム面５ａが直接読み取り装置に触れるため、印刷面５ｂの印刷情報が擦れたりすることがない。
【００２５】
次に、本発明のカード発行装置の一例について説明する。
図２は、本発明の実施の形態に係るカード発行装置の構成を示す図であり、図２（Ａ）は装置全体を模式的に示す図であり、図２（Ｂ）はブロック図である。
このカード発行装置１０は、主に、カード本体収容部２０、情報書き込み部３０、透明フィルム収容部４０、透明フィルムへの印刷及び接着剤層塗布部（印刷・塗布部）５０、貼り合わせ部９０、制御部１２０とから構成される。各部は一台の装置内に配置されている。制御部１２０には、ＰＣ１２５から学生、会員、社員などの個人情報（顔写真画像イメージ、生年月日、住所、所属、学生（会員、社員）番号など）が送られ、個別枚葉処理が行われる。
【００２６】
次に、図２（Ｂ）を参照して、このカード発行装置１０の作業の概要を説明する。
まず、ＰＣ１２５から、ある個人Ａの情報が情報書き込み部３０に送られる。情報書き込み部３０では、カード本体３の記録媒体にこの情報が書き込まれる。その後、カード本体３は印刷・塗布部５０を通過して、貼り合わせ部９０に搬送され、同部で待機する。一方、印刷・塗布部５０には、ＰＣ１２５から制御部１２０を通して個人Ａの情報が送られる。印刷・塗布部５０では、透明フィルム５に情報が印刷された後、印刷面上に接着剤が塗布される。その後、透明フィルム５は貼り合わせ部９０に搬送される。なお、情報書き込みと印刷の順は逆でもよい。
そして、貼り合わせ部９０では、待機していたカード本体３に、透明フィルム５が接着剤層７で貼り合わされる。これで、個人Ａのカード１が発行される。そして、次の個人Ｂの情報がＰＣ１２５から呼び出されて、同様の処理が行われる。
【００２７】
このように、ＰＣ１２５から一人分の情報が送られると、一人分ずつ、カード本体の記録媒体への書き込み、透明フィルムへの印刷及び接着剤の塗布、そして、ＩＣカードと透明フィルムの貼り合わせを行っている。このため、印刷情報と書き込み情報との同一性が得られる。
【００２８】
次に、カード発行装置１０の各部及びその作用について説明する。
まず、カード本体３の処理工程について説明する。
図３は、カード本体の処理工程を説明する図である。
カード本体収容部２０には、複数のカード本体３が収容されている。このカード本体３の記録媒体は初期化されている。まず、収容部２０から１枚のカード本体３が書き込み部３０に送られる。
【００２９】
書き込み部３０には、ＩＣデータ書き込み装置３１と磁気データ書き込み装置３３が備えられている。これらの装置には、ＰＣ１２５から個人Ａの個人情報が送られている。同部に搬送されたカード本体３は、ＩＣデータ書き込み装置３１で個人Ａの個人情報がＩＣチップに記録され、磁気データ書き込み部３３で同情報が磁気テープに記録される。
【００３０】
その後、カード本体３は、印刷・塗布部５０の搬送経路６１を通って貼り合わせ部９０に送られ、同部９０の上搬送経路９５上で待機する。このとき、カード本体３の透明フィルム５が貼り合わされる面が下側となっている。なお、この例では、カード本体３については、印刷・塗布部５０では何の処理も行わない。
【００３１】
次に、透明フィルムの処理工程について説明する。
図４は、透明フィルムの処理工程を説明する図である。
図５は、印刷及び接着剤塗布部に使用されるインクリボンの詳細を示す平面図である。
透明フィルム収容部４０には、カード本体３と同じ寸法の透明フィルム５が収容されている。まず、収容部４０から１枚の透明フィルム５がガイドローラ４１でガイドされて、印刷及び接着剤塗布部５０に搬送される。
制御部１２０には、ＰＣ１２５から個人Ａの情報が画像データとして送られている。この画像データは、目視可能情報（ＩＤカードに印刷される写真画像や文字）を鏡像反転させた画像や文字のデータである。これらの画像データは、予め、イエロー、マゼンタ、シアン、ブラックの各要素に分解されている。
【００３２】
印刷及び接着剤塗布部５０には、熱転写用のインクリボン５１が備えられている。インクリボン５１は、図５に示すように、イエローＹ、マゼンタＭ、シアンＣ、ブラックＫの各インク層、オーバーコート層ＯＰ、接着剤層７をこの順に並べて１つの組として、この組を基体Ｓ上に繰り返して配列したものである。接着剤層７は、常温時では高い接着力を有するが、所定温度（例えば１８０℃以下）への昇温時には接着力が低下する特性を有する、例えばホットメルト型のものを使用できる。基体Ｓの裏面は剥離性の高い材料で作製され、インクリボンをロール状にしたときにも、接着剤層７がリボンの裏面に接着することはない。
【００３３】
図４に示すように、インクリボン５１は基体Ｓを内側としてローラ５３に巻き回されている。同ローラ５３から繰り出されたインクリボン５１は、巻き取りローラ５５で巻き取られる。両ローラ５３、５５の間にはサーマルヘッド５７が配置されている。サーマルヘッド５７の先端と、搬送経路６１を隔てて対向する位置にはプラテンローラ５９が配置されている。
【００３４】
印刷及び接着剤塗布部５０に搬送された透明フィルム５は、搬送経路６１上でホルダ６０に保持される。ホルダ６０は、搬送経路６１上で、サーマルヘッド５７の先端とプラテンローラ５９との間（以下、印字部という）を正逆方向に複数回往復運動する。
【００３５】
ホルダ６０に保持された透明フィルム５の前端が印字部へ進入したとき、インクリボン７１のイエロー層Ｙの前端も同部に位置するように、巻き取りローラ５５でインクリボン５１を巻き取る。そして、ホルダ６０の正方向への移動と巻き取りローラ５５の巻き取りを同期させ、透明フィルム５とインクリボン５１を等速で印字部を通過させる。同時に、プラテンローラ５９をサーマルヘッド５７の方向へ押すとともに、サーマルヘッド５７を発熱させる。サーマルヘッド５７の発熱は、上記の画像データに基づいて制御され、画像データのイエロー要素に相当する部分でイエローインクが透明フィルム５に熱転写される。
【００３６】
次に、プラテンローラ５９をサーマルヘッド５７から離れる方向に移動させた後、ホルダ６０を逆方向へ移動させて、透明フィルム５の前端を印字部まで戻す。一方、巻き取りローラ５５はイエローインク転写後に停止しており、マゼンタインク層Ｍの前端が印字部に進入している。そして、同様に、ホルダ６０の正方向への移動と、インクリボン５１の巻き取りを同期させて、透明フィルム５とインクリボン５１を等速で印字部を通過させる。同時に、プラテンローラ５９をサーマルヘッド５７の方向へ押すとともに、サーマルヘッド５７を発熱させる。サーマルヘッド５７の発熱は、上記の画像データに基づいて制御され、画像データのマゼンタ要素に相当する部分でマゼンタインクが透明フィルム５に熱転写される。
【００３７】
この作業を、シアンインク、ブラックインクで繰り返し、透明フィルム５にカラー画像を印刷する。このとき、印刷面５ｂ（サーマルヘッド側の面）から見た画像は、図１（Ｄ）に示すように、最終的な目視可能情報の画像や文字を鏡像反転させた画像や文字である。その後、オーバーコート剤層を熱転写して、印刷面をオーバーコート剤でコートしてインクの滲みを防ぐ。
最後に、オーバーコート層の上に接着剤層７を転写する。ただし、接着剤層７はサーマルヘッド５７を発熱し、同ヘッド５７の先端とプラテンローラ５９間の押圧力により、接着剤層７を透明フィルム５に転写する。
この例では、ホルダ６０は、全部で６回往復運動する。
【００３８】
接着剤層７の塗布が終了した透明フィルム５は、搬送経路６１を通って貼り合わせ部９０の下搬送経路９３に送られる。下搬送経路９３上では、接着剤層７が上側となる。
【００３９】
このカード発行装置１０は、透明フィルム５への印刷処理と同フィルムへの接着剤塗布処理を１つの工程で行っているため、全体としての処理工程数を減らすことができる。
【００４０】
次に、貼り合わせ工程について説明する。
図６は、貼り合わせ工程を説明する図である。
貼り合わせ部９０は、上述のように、共通搬送経路９１の先で、下搬送経路９３と上搬送経路９５に分岐している。各搬送経路には、前後２ヶ所に、各々下送りローラ９６、９７、９８、９９が配置されている。また、各搬送経路の前方には、カード本体３又は透明フィルム５の前端の位置を検出するセンサ１０３、１０５が配置されている。
【００４１】
センサ１０３、１０５の前方では、各搬送経路は排出経路１０７に合流している。この合流部下流の上下にはプレスローラ１０９、１１１が配置されている。
【００４２】
透明フィルム５は、共通搬送経路９１から下搬送経路９３に移動して、一端停止する。このとき、透明フィルム５の接着剤層７は上側である。一方、上搬送経路９５には、カード本体３が待機している。このとき、カード本体３の接着剤層７が貼り合わされる面は下側である。
透明フィルム５及びカード本体３が各搬送経路に搬送された後、各センサ１０３、１０５で、カード本体３及び透明フィルム５の前端の位置を検出する。そして、両位置が同じになるように各送りローラを駆動する。
【００４３】
カード本体３と透明フィルム５の前端の位置が一致すると、各送りローラを同時に回転させて、カード本体３と透明フィルム５とを、同時に排出経路１０７に送り出す。すると、カード本体３と透明フィルム５は、上下プレスローラ１０９、１１１で挟まれて、透明フィルム５の接着剤層７にカード本体３が前端から貼り合わされる。
【００４４】
貼り合わされたカード１は排出口から排出される。これにより、個人Ａに関する情報が記録されたカード１が発行される。上述のように、この装置１０では、ＰＣ１２５から呼び出された個人Ａの情報について、カード本体３への情報の書き込み、透明フィルム５への情報の印刷及び接着剤層７の塗布、及び、カード本体３と透明フィルム５の貼り合わせの一連の作業が１回だけ行われている。したがって、各情報は同一個人のものであり、記録された情報と印刷された情報とは一致している。また、透明フィルム５の印刷面５ｂを内側としているため、印刷面の汚れや剥離を生じない。
【００４５】
次に、この例のカード１を再使用する方法について説明する。
カード本体３と透明フィルム５を接着している接着剤は、常温時では高い接着力を有するが、所定温度への昇温時に接着力が低下する特性を有する。つまり、所定温度に昇温すると、接着力が低下して透明フィルム５をカード本体３から剥がすことができる。
【００４６】
図７は、カードを再使用する工程を説明する図である。
カード１を再使用する工程において、図７の上側の図に示すように、カードを所定温度に昇温する剥離準備装置（カード発行装置）３００を用意する。この装置３００内には、入口から出口までカードが通過する搬送経路３０１が設けられている。搬送経路３０１に沿って、上流側から順に、上下送りローラ３０３、上加熱ローラ３０５、下送りローラ３０６、送りローラ３０９が配置されている。上加熱ローラ３０５は所定温度に加熱されている。
【００４７】
カード１は、透明フィルム５の面を上側にして装置３００の入口に入れられる。その後、上下送りローラ３０３で上下ローラ３０５間に送られ、上加熱ローラ３０５で透明フィルム５が加熱される。熱は透明フィルム５から接着剤層７に伝熱し、接着剤層７が加熱される。
【００４８】
このような熱によって、接着剤７の接着力が低下する。カード１が装置３００から排出された後、図７の下側の図に示すように、透明フィルム５を人手などでカード本体３から剥がすと、透明フィルム５は簡単にカード本体３から剥離する。この剥離作業は、装置３００からカード１が排出された後、３０秒以内に行うことが好ましい。
【００４９】
透明フィルム５が剥離されたカード本体３は、ＩＣチップや磁気テープを初期化することにより再使用できる。
【００５０】
この例の剥離準備装置３００は、カード１のカード本体３から透明フィルム５を剥離するだけの作業を行うものであるが、この装置３００を、図２のカード発行装置１０に設けてもよい。その場合、この装置３００で接着剤層７の接着力を低下させて、手で透明フィルム５を剥離した後、カード本体３をカード本体収容部２０に収容する。そして、カード本体３を、移送部２５を経て情報書き込み部３０へ搬送する。同部において、各書き込み装置でカード本体３の記録媒体を初期化した後、個人情報を書き込む。
【図面の簡単な説明】
【００５１】
【図１】本発明のカード発行方法に係るカードの構成例を説明する図であり、図１（Ａ）は平面図、図１（Ｂ）は分解斜視図、図１（Ｃ）は側断面図、図１（Ｄ）は透明フィルムの裏面図である。
【図２】本発明の実施の形態に係るカード発行装置の構成を示す図であり、図２（Ａ）は装置全体を模式的に示す図であり、図２（Ｂ）はブロック図である。
【図３】カード本体の処理工程を説明する図である。
【図４】透明フィルムの処理工程を説明する図である。
【図５】印刷及び接着剤塗布部に使用されるインクリボンの詳細を示す平面図である。
【図６】貼り合わせ工程を説明する図である。
【図７】カードを再使用する工程を説明する図である。
【符号の説明】
【００５２】
１  カード                          ３  カード本体
５  透明フィルム                    ７  接着剤層
１０  カード発行装置                ２０  カード本体収容部
３０  情報書き込み部                ３１  ＩＣデータ書き込み装置
３３  磁気データ書き込み装置        ４０  透明フィルム収容部
４１  ガイドローラ
５０  透明フィルムへの印刷及び接着剤層塗布部（印刷・塗布部）
５１  インクリボン                  ５３  ローラ
５５  ローラ                        ５７  サーマルヘッド
５９  プラテンローラ                ６０ホルダ
６１  搬送経路
９０  貼り合わせ部                  ９１  共通搬送経路
９３  下搬送経路                    ９５  上搬送経路
９６、９７、９８、９９  送りローラ
１０３、１０５  センサ              １０７  排出経路
１０９、１１１  プレスローラ
１２０  制御部                      １２５  ＰＣ
３００  剥離準備装置                ３０１  搬送経路
３０３  上下送りローラ              ３０５  上加熱ローラ
３０６  下送りローラ                ３０９  送りローラ
【図１】
2005169644.tif 000003
【図２】
2005169644.tif 000004
【図３】
2005169644.tif 000005
【図４】
2005169644.tif 000006
【図５】
2005169644.tif 000007
【図６】
2005169644.tif 000008
【図７】
2005169644.tif 000009